(57)【要約】      （修正有）【課題】パッティングにおいてアドレスをする時にパターヘッドの打球面を意図する方向に正確に向け、かつ打球面のスイートスポットをゴルフボールの中心に正確に向けることを容易にするマークを設けたパターヘッドを提供する。【解決手段】パターヘッド本体１０のヘッド上面の打球面に近い部分１１に、アドレスされたゴルフボール２０と同心円をなす円弧１３をマークとして設ける。打球面１２のスイートスポット１４に、ボール２０の中心２１に合わせることができる様にマークを入れ、さらに打球面１２に直角でスイートスポット１４の真上を通る直線１６を刻む。【選択図】図１
0003151788.tif 000002
【実用新案登録請求の範囲】
【請求項１】
打球面のスイートスポットをゴルフボールの中心に向けてアドレスしたパターヘッドの上面に設けた時に該ゴルフボールと同心円をなす円弧から成るパターヘッドマーク。
【請求項２】
打球面のスイートスポットをゴルフボールの中心に向けてアドレスしたパターヘッドの上面に設けた時に該ゴルフボールと同心円をなす複数の円弧から成るパターヘッドマーク。
【請求項３】
打球面のスイートスポットをゴルフボールの中心に向けてアドレスしたパターヘッドの上面に設けた時に該ゴルフボールと同心円をなす円弧および該打球面に直角で該打球面のスイートスポットの真上を通る直線とから成るパターヘッドマーク。
【考案の詳細な説明】
【技術分野】
【０００１】  本考案はパターヘッドの上面に設けてゴルフボールを正確に意図する方向へ打つことを容易にするマークに関するものである。
【背景技術】
【０００２】  パッティングにおいてゴルフボールを正確に意図した方向に打つためにはパターヘッドの打球面を意図する方向に正確に向け、かつ打球面のスイートスポットで打球することが求められる。【０００３】  打球時にパターヘッドの打球面が意図した方向からそれていればゴルフボールは意図した方向に打ち出されない。【０００４】  打球時にスイートスポットを外れた打球面で打球するとヘッドの回転が起こるのでゴルフボールは意図した方向に打ち出されない。【０００５】  したがってゴルフボールを意図した方向に正確に打つためにはアドレスにおいてパターヘッドの打球面を正確に意図する打球方向に向け、かつ打球面のスイートスポットを正確にゴルフボールの中心に向けることが求められる。【０００６】  このために従来のパターヘッドでは打球面の方向およびスイートスポットを示すための種々のマークを上面に設けていた。【０００７】  特許文献１にはパターヘッドの打球面に対し平行である直線と打球面に対し直角である直線とから成るマークが開示されている。【０００８】  特許文献２には延長線がアドレスしたボールに外接する複数の直線から成るマークが開示されている。【０００９】  特許文献３には直径がゴルフボールの直径に等しい半円および円を打球方向に直列に配置したことにより成るマークが開示されている。【００１０】  特許文献４には直径がゴルフボールに等しい３個の円を打球方向に直列に配置したことにより成るマークが開示されている。
【先行技術文献】
【特許文献】
【００１１】
【特許文献１】実用新案登録第３１１３６５１号
【特許文献２】実用新案登録第３１３１３１８号
【特許文献３】実用新案登録第３０９９１１７号
【特許文献４】実用新案登録第３１１６７２２号
【考案の概要】
【考案が解決しようとする課題】
【００１２】  上記の特許文献１に開示されているパターヘッドのマークは明瞭で合理的なものであるが、このマークによってアドレスにおいてヘッドの打球面の方向とスイートスポットの方向を正確に定めることは難しい。【００１３】  上記の特許文献２に開示されているパターヘッドのマークは複雑な考察に基づいたものであるので、アドレスにおいてヘッドの打球面の方向とスイートスポットの方向を正確に定める手順も複雑になるので実用的でない。【００１４】  上記の特許文献３および４に開示されているパターヘッドのマークによっては実際にはアドレスにおいてヘッドの打球面の方向とスイートスポットの方向を正確に定めることは難しい。【００１５】  本考案はアドレスにおいてパターヘッドの打球面を意図する方向に正確に向けることを容易にするパターヘッドマークを提供することを課題とする。【００１６】  本考案はアドレスにおいて打球面のスイートスポットを正確にゴルフボールの中心に向けることを容易にするパターヘッドマークを提供することを課題とする。
【課題を解決するための手段】
【００１７】  パターヘッドの打球面のスイートスポットをアドレスしたゴルフボールの中心に正確に向けた時に該ボールと同心円をなす円弧をマークとして該パターヘッドの上面に設ける。また打球面に直角でスイートスポットの真上を通る直線をパターヘッドの上面に設ける
【考案の効果】
【００１８】  本考案のマークを設けたパターヘッドをゴルフボールに対してアドレスする時に該パターヘッドと該ボールを真上から見て、該パターヘッドの上面に設けられた前記マークの円弧の開いた側を意図する打球方向へ向けることにより、該パターヘッドの打球面を意図する方向へ正確に向けることが容易になる。また打球面に直角でスイートスポットの真上を通る直線によって打球面の方向を確認できる。【００１９】  本考案のマークを設けたパターヘッドをゴルフボールに対してアドレスする時に該パターヘッドと該ボールを真上から見て、該パターヘッドの上面に設けられた前記マークの円弧が該ボールに対して同心円をなすようにアドレスすることにより、該パターヘッドのスイートスポットを正確に該ボールの中心に向けることが容易になる。
【図面の簡単な説明】
【００２０】
【図１】ゴルフボールに対してアドレスされた本考案のマークを設けたパターヘッドの上面を示す。２０はゴルフボール、２１はボール２０の中心、１４はパターヘッドのスイートスポット、帯状の円弧１３は本考案のパターヘッドマークである。
【図２】本考案のパターヘッドマークを設けたパターヘッドの俯瞰図である。
【考案を実施するための形態】
【００２１】  ゴルフルールに適合するパターヘッドの上面の打球面に近い部分に、該パターヘッドの打球面のスイートスポットをアドレスしたゴルフボールの中心に正確に向けた時に該ボールと同心円をなす円弧をマークとして設ける。また打球面に直角でスイートスポットの真上を通る直線をパターヘッドの上面に設ける。
【実施例】
【００２２】  以下添付図面にしたがって一実施例を説明する。図１において１０は本考案のマークを設けたパターヘッド本体で、ヘッド上面の打球面に近い部分１１に、アドレスされたゴルフボール２０と同心円をなす円弧１３をマークとして設けてある。打球面１２のスイートスポット１４はボール２０の中心２１に向けられている。１５はシャフトである。１６は打球面１２に直角でスイートスポット１４の真上を通る直線である。【００２３】  図に示すように、パターヘッドの上面に設ける本考案のパターヘッドマークを構成する円弧の数は複数であってもよい。【００２４】  図に示すように、パターヘッドの上面に設ける本考案のパターヘッドマークを構成する円弧を帯状としてもよい。【００２５】  パターヘッドの上面に設ける本考案のパターヘッドマークは埋め込みの技術によって設けてもよい。【００２６】  パターヘッドの上面に設ける本考案のパターヘッドマークは周囲より高い稜の構造としてもよい。【００２７】  パターヘッドの上面に設ける本考案のパターヘッドマークは別個のラベル等に描いたものを貼付してもよい。【００２８】  本考案のパターヘッドマークの一実施例は上記のごとき構成からなるのであるから、パッティングにおいてパターヘッドの上面に設けられた本考案のパターヘッドマークの円弧がゴルフボールと同心円をなすようにアドレスすることにより、打球面のスイートスポットを正確にボールの中心に向けることが容易になる。またこの時、前記マークの円弧の開いた側を意図する方向に向けることにより、打球面を正確に意図する方向に向けることが容易になる。またこの時打球面に直角でスイートスポットの真上を通る直線は打球面の方向を確認することに役立つ。
【産業上の利用可能性】
【００２９】  本考案のパターヘッドマークはゴルフルールに適合する従来のパターヘッドに技術的に容易に設けることができるので、産業上の利用可能性が高い。
【符号の説明】
【００３０】１０  パターヘッド本体
１１  パターヘッドの打球面に近い部分
１２  打球面
１３  本考案のパターヘッドマーク
１４  スイートスポット
１５  シャフト
１６  打球面に直角でスイートスポットの中心を通る直線
２０  ゴルフボール
２１  ボール２０の中心
【図１】
0003151788.tif 000003
【図２】
0003151788.tif 000004
【手続補正書】
【提出日】平成21年4月7日(2009.4.7)
【手続補正１】
【補正対象書類名】明細書
【補正対象項目名】全文
【補正方法】変更
【補正の内容】
【考案の詳細な説明】
【技術分野】
【０００１】  本考案はゴルフボールを正確に意図する方向へ打つことを容易にするパターヘッドに関するものである。
【背景技術】
【０００２】  パッティングにおいてゴルフボールを正確に意図した方向に打つためにはパターヘッドの打球面を意図する方向に正確に向け、かつ打球面のスイートスポットで打球することが求められる。【０００３】  打球時にパターヘッドの打球面が意図した方向からそれていればゴルフボールは意図した方向に打ち出されない。【０００４】  打球時にスイートスポットを外れた打球面で打球するとへッドの回転が起こるのでゴルフボールは意図した方向に打ち出されない。【０００５】  したがってゴルフボールを意図した方向に正確に打つためにはアドレスにおいてパターヘッドの打球面を正確に意図する打球方向に向け、かつ打球面のスイートスポットを正確にゴルフボールの中心に向けることが求められる。【０００６】  このために従来のパターヘッドでは打球面の方向およびスイートスポットを示すための種々のマークを上面に設けていた。【０００７】  特許文献１には打球面に対し平行である直線と打球面に対し直角である直線とから成るマークを設けたパターヘッドが開示されている。【０００８】  特許文献２には延長線がアドレスしたボールに外接する複数の直線から成るマークが設けられたパターヘッド開示されている。【０００９】  特許文献３には直径がゴルフボールの直径に等しい半円および円を打球方向に直列に配置したマークを設けたパターヘッドが開示されている。【００１０】  特許文献４には直径がゴルフボールに等しい３個の円を打球方向に直列に配置したマークが設けられたパターヘッド開示されている。
【先行技術文献】
【特許文献】
【００１１】
【特許文献１】実用新案登録第３１１３６５１号
【特許文献２】実用新案登録第３１３１３１８号
【特許文献３】実用新案登録第３０９９１１７号
【特許文献４】実用新案登録第３１１６７２２号
【考案の概要】
【考案が解決しようとする課題】
【００１２】  上記の特許文献１に開示されているパターヘッドのマークは明瞭で合理的なものであるが、このマークによってアドレスにおいてへッドの打球面の方向とスイートスポットの方向を正確に定めることは難しい。【００１３】  上記の特許文献２に開示されているパターヘッドのマークは複雑な考察に基づいたものであるので、アドレスにおいてへッドの打球面の方向とスイートスポットの方向を正確に定める手順も複雑になるので実用的でない。【００１４】  上記の特許文献３および４に開示されているパターヘッドのマークによっては実際にはアドレスにおいてへッドの打球面の方向とスイートスポットの方向を正確に定めることは難しい。【００１５】  本考案はアドレスにおいて打球面を意図する方向に正確に向けることを容易にするマークを設けたパターヘッドを提供することを課題とする。【００１６】  本考案はアドレスにおいて打球面のスイートスポットを正確にゴルフボールの中心に向けることを容易にするマークを設けたパターヘッドを提供することを課題とする。
【課題を解決するための手段】
【００１７】  パターヘッドの打球面のスイートスポットをアドレスしたゴルフボールの中心に正確に向けた時に該ボールと同心円をなす円弧をマークとして該パターヘッドの上面に設ける。また打球面に直角でスイートスポットの真上を通る直線をパターヘッドの上面に設ける
【考案の効果】
【００１８】本考案のパターヘッドをゴルフボールに対してアドレスする時に該パターヘッドと該ボールを真上から見て、該パターヘッドの上面に設けられた前記マークの円弧の開いた側を意図する打球方向へ向けることにより、該パターヘッドの打球面を意図する方向へ正確に向けることが容易になる。また前記の打球面に直角でスイートスポットの真上を通る直線によって打球面の方向を確認できる。【００１９】本考案のパターヘッドをゴルフボールに対してアドレスする時に該パターヘッドと該ボールを真上から見て、該パターヘッドの上面に設けられた前記マークの円弧が該ボールに対して同心円をなすようにアドレスすることにより、該パターヘッドのスイートスポットを正確に該ボールの中心に向けることが容易になる。
【図面の簡単な説明】
【００２０】
【図１】はゴルフボールに対してアドレスされた本考案のパターヘッドの上面を示す。２０はゴルフボール、２１はボール２０の中心、１４はパターヘッドのスイートスポットで、帯状の円弧１３はボール２０と同心円をなす。
【図２】は本考案のパターヘッドの俯瞰図である。
【考案を実施するための形態】
【００２１】  ゴルフルールに適合するパターヘッドの上面の打球面に近い部分に、該パターヘッドの打球面のスイートスポットをアドレスしたゴルフボールの中心に正確に向けた時に該ボールと同心円をなす円弧をマークとして設ける。また打球面に直角でスイートスポットの真上を通る直線をパターヘッドの上面に設ける。
【実施例】
【００２２】  以下添付図面にしたがって一実施例を説明する。図１において１０は本考案のパターヘッド本体で、ヘッド上面の打球面に近い部分１１に、アドレスされたゴルフボール２０と同心円をなす円弧１３をマークとして設けてある。打球面１２のスイートスポット１４はボール２０の中心２１に向けられている。１５はシャフトである。１６は打球面１２に直角でスイートスポット１４の真上を通る直線である。【００２３】  図に示すように、パターヘッドの上面に設けるマークを構成する円弧の数は複数であってもよい。【００２４】  図に示すように、パターヘッドの上面に設けるマークを構成する円弧を帯状としてもよい。【００２５】パターヘッドの上面に設ける円弧マークは埋め込みの技術によって設けてもよい。【００２６】パターヘッドの上面に設ける円弧マークは周囲より高い稜の構造としてもよい。【００２７】パターヘッドの上面に設ける円弧マークは別個のラベル等に描いたものを貼付してもよい。【００２８】本考案のパターヘッドの一実施例は上記のごとき構成からなるのであるから、パッティングにおいてパターヘッドの上面に設けられたマークの円弧がゴルフボールと同心円をなすようにアドレスすることにより、打球面のスイートスポットを正確にボールの中心に向けることが容易になる。またこの時、前記マークの円弧の開いた側を意図する方向に向けることにより、打球面を正確に意図する方向に向けることが容易になる。またこの時打球面に直角でスイートスポットの真上を通る直線は打球面の方向を確認することに役立つ。【００２９】本考案のパターヘッドに設ける円弧マークはゴルフルールに適合する従来のパターヘッドに技術的に容易に設けることができるので、本考案のパターヘッドは産業上の利用可能性が高い。
【符号の説明】
【００３０】  １０  パターヘッド本体  １１  パターヘッドの上面の打球面に近い部分  １２  打球面  １３  円弧マーク  １４  スイートスポット  １５  シャフト  １６  打球面に直角でスイートスポットの中心を通る直線  ２０  ゴルフボール  ２１  ボール２０の中心
【手続補正２】
【補正対象書類名】実用新案登録請求の範囲
【補正対象項目名】全文
【補正方法】変更
【補正の内容】
【実用新案登録請求の範囲】
【請求項１】
打球面のスイートスポットをゴルフボールの中心に向けてアドレスした時に該ゴルフボールと同心円をなす円弧から成るマークを上面の該打球面に近い部分に設けたパターヘッド。
【請求項２】
打球面のスイートスポットをゴルフボールの中心に向けてアドレスした時に該ゴルフボールと同心円をなす複数の円弧から成るマークを上面の該打球面に近い部分に設けたターヘッド。
【請求項３】
打球面のスイートスポットをゴルフボールの中心に向けてアドレスした時に該ゴルフボールと同心円をなす円弧から成るマークを上面の該打球面に近いに設けかつ該打球面に直角で該打球面のスイートスポットの真上を通る直線を上面に設けたパターヘッド。